(57)【特許請求の範囲】
【請求項１】
シート体の長手方向に所定の間隔でミシン目が形成されたウェットティッシュのロール体を収納する容器本体と、
上記容器本体に収納された上記ウェットティッシュを取り出す取出部と、
上記取出部を開閉する蓋体とを備え、
上記取出部は、上記容器本体に形成され、上記ウェットティッシュを取り出す取出口と、上記取出口を開閉する開閉蓋とを有し、該開閉蓋により該取出口を閉塞したときに、上記ウェットティッシュと係合し該ウェットティッシュを１枚ずつ引き出す係合孔が設けられ、
上記開閉蓋の一辺には、第１の段部が形成され、上記開閉蓋が上記取出口を閉塞したときに上記容器本体の上記開閉蓋の一辺に対向する位置には、第２の段部が形成され、上記第１の段部及び上記第２の段部は、上記開閉蓋が上記取出口を閉塞したときに接着され、該開閉蓋が該取出口を閉塞した状態を維持する収納容器。
【請求項２】
シート体の長手方向に所定の間隔でミシン目が形成されたウェットティッシュのロール体を収納する容器本体と、
上記容器本体に収納された上記ウェットティッシュを取り出す取出部と、
上記取出部を開閉する蓋体とを備え、
上記取出部は、上記容器本体に形成され、上記ウェットティッシュを取り出す取出口と、上記取出口を開閉する開閉蓋と、上記開閉蓋の一辺に設けられ、該開閉蓋が上記取出口を閉塞したときに、該開閉蓋の一辺と対向する位置にある容器本体を挟持する挟持片とを有し、上記開閉蓋により上記取出口を閉塞して上記挟持片により上記容器本体を挟持したときに、上記ウェットティッシュと係合し該ウェットティッシュを１枚ずつ引き出す係合孔が設けられる収納容器。
【発明の詳細な説明】
【技術分野】
【０００１】
本発明は、ウェットティッシュを収納する収納容器に関し、特に、シート体の長手方向に所定の間隔でミシン目が形成されたウェットティッシュのロール体を収納する収納容器に関する。
【背景技術】
【０００２】
シート体の長手方向に所定の間隔でミシン目が形成されたウェットティッシュのロール体を収納するものとしては、特許文献１のような収納容器がある。特許文献１の収納容器には、容器本体の上面にウェットティッシュを引き出すことができ、かつ、ウェットティッシュと係合され切り離す係合孔が形成され、係合孔の周囲には、十字形状等の切り込みスリットが設けられている。
【０００３】
特許文献１の収納容器は、周囲に十字形状等の切り込みスリットが設けられた係合孔から収納するウェットティッシュを略上方に引き出すとき、引き出されたウェットティッシュが係合孔を通過する際に、隣接する切り込みスリットによって形成された係合孔の周囲の弾性係合片にウェットティッシュが係合され、係合された状態でさらにウェットティッシュを略上方に引き出すことで、ウェットティッシュに形成されたミシン目の位置でウェットティッシュを切り離すことができる。
【０００４】
特許文献１に示すような収納容器では、使用開始時やウェットティッシュが途中で切れてしまったときに、容器本体内にあるシート体の端部を係合孔の裏面側から挿通する作業を行わなければならない。そして、係合孔は、上述のように、ウェットティッシュが１枚ずつ切り離せるようにするためにある程度穴径が小さく形成されていることから、この挿通作業に手間がかかっていた。
【０００５】
そこで、特許文献２に示すように、上述の挿通作業を容易にするための取出口が設けられる収納容器も提案されている。特許文献２の収納容器は、取出口と係合孔とが連続する連続口が設けられている。
【０００６】
特許文献２の収納容器は、係合孔及び取出口を閉塞する蓋体が設けられ、ウェットティッシュに含浸された水分、アルコール分等の蒸散防止を図っているが、取出口が常に開口状態にある。そして、この収納容器では、使用のたびに、蓋体を開けることで、ウェットティッシュに含浸された水分、アルコール分等が取出口から蒸散することとなる。
【先行技術文献】
【特許文献】
【０００７】
【特許文献１】特開平０８−１０４３７７号公報
【特許文献２】特開２００７−２１７０５４号公報
【発明の概要】
【発明が解決しようとする課題】
【０００８】
本発明は、上述の実情に鑑みてなされたものであり、ウェットティッシュを１枚ずつ引き出し切り離せるようにするための係合孔へのウェットティッシュの取り付けを容易にするとともに、ウェットティッシュに含浸された水分、アルコール分等の蒸散を防止することができる収納容器を提供することを目的とする。
【課題を解決するための手段】
【０００９】
上述した目的を達成するために本発明に係る収納容器は、シート体の長手方向に所定の間隔でミシン目が形成されたウェットティッシュのロール体を収納する容器本体と、上記容器本体に収納された上記ウェットティッシュを取り出す取出部と、上記取出部を開閉する蓋体とを備える。
そして、上記取出部は、上記容器本体に形成され、上記ウェットティッシュを取り出す取出口と、上記取出口を開閉する開閉蓋とを有し、該開閉蓋により該取出口を閉塞したときに、上記ウェットティッシュと係合し該ウェットティッシュを１枚ずつ引き出す係合孔が設けられ、上記開閉蓋の一辺には、第１の段部が形成され、上記開閉蓋が上記取出口を閉塞したときに上記容器本体の上記開閉蓋の一辺に対向する位置には、第２の段部が形成され、上記第１の段部及び上記第２の段部は、上記開閉蓋が上記取出口を閉塞したときに接着され、該開閉蓋が該取出口を閉塞した状態を維持する。
また、上記取出部は、上記容器本体に形成され、上記ウェットティッシュを取り出す取出口と、上記取出口を開閉する開閉蓋と、上記開閉蓋の一辺に設けられ、該開閉蓋が上記取出口を閉塞したときに、該開閉蓋の一辺と対向する位置にある容器本体を挟持する挟持片とを有し、上記開閉蓋により上記取出口を閉塞して上記挟持片により上記容器本体を挟持したときに、上記ウェットティッシュと係合し該ウェットティッシュを１枚ずつ引き出す係合孔が設けられる。
【発明の効果】
【００１０】
本発明によれば、使用開始時等にウェットティッシュを係合孔に簡便な操作によりセットすることができるので、使用開始時等の煩雑な作業がない。
【００１１】
また、取出口が開放された状態になく、容器本体の密閉性を保つことができ、収納されるウェットティッシュに含浸された水分、アルコール分等の蒸散を防止することができる。
【図面の簡単な説明】
【００１２】
【図１】本発明を適用した収納容器の全体斜視図である。
【図２】（Ａ）は、取出部の上蓋表面側からの斜視図であり、（Ｂ）は、取出部の開閉蓋が開き、取出口を開放した状態を示した斜視図である。
【図３】第２の実施の形態として示す取出部を示した図であり、（Ａ）は、取出部の要部斜視図であり、（Ｂ）は、取出口を閉塞する過程の状態を示した断面図であり、（Ｃ）は、取出口を閉塞した状態を示した断面図である。
【図４】（Ａ）は、第３の実施の形態として示す取出部の取出口を閉塞した状態を示した斜視図であり、（Ｂ）は、取出部の取出口を開放した状態を示した斜視図である。
【図５】第３の実施の形態の中蓋の変形例を示した斜視図である。
【図６Ａ】第４の実施の形態として示す取出部の開放状態における上部斜視図である。
【図６Ｂ】第４の実施の形態として示す取出部の開放状態における下部斜視図である。
【図６Ｃ】第４の実施の形態として示す取出部の閉塞状態における上部斜視図である。
【図７Ａ】第５の実施の形態として示す取出部の開放状態における斜視図であり、開閉蓋を取出口の上方に位置させたときの斜視図である。
【図７Ｂ】第５の実施の形態として示す取出部の開放状態における斜視図であり、開閉蓋を取出口の下方に位置させたときの斜視図である。
【図８】第５の実施の形態における変形例を示す図であり、（Ａ）は、開閉蓋により取出口を閉塞させた状態を示す斜視図であり、（Ｂ）は、開閉蓋により取出口を開放させた状態を示す斜視図である。
【発明を実施するための形態】
【００１３】
以下、本発明を適用した収納容器１について、図面を参照して詳細に説明をする。
【００１４】
１．全体構成
本発明の収納容器１は、図１に示すように、全体が略円筒形状であり、シート体の長手方向に１回の使用分に対応した間隔でミシン目１１０が形成されたウェットティッシュ１００のロール体１０５を収納する。ここで、収納容器１に収納されるウェットティッシュ１００のロール体１０５は、紙や不織布等の基布に使用目的に応じて、水、アルコール、除菌剤、防腐剤及び香料等の液体を含浸させたものであり、ウェットティッシュ１００の長手方向に１回の使用分に対応した間隔でミシン目１１０が形成されている。
【００１５】
また、収納容器１は、ウェットティッシュ１００のロール体１０５を収納する容器本体４を有する。この容器本体４は、ウェットティッシュ１００のロール体１０５が収納されるケース２と、このケース２の上面に取り付けられる上蓋３とからなる。容器本体４のケース２は、上面に開口部２ａを有する略円筒形状であり、ロール体１０５が収納できる高さに形成されている。容器本体４の上蓋３は、ケース２の開口部２ａを閉塞する蓋であり、例えば、ケース２に螺着される。
【００１６】
上蓋３は、その上面３ａの略中央にウェットティッシュ１００を取り出す取出部５と、この取出部５を開閉するように上蓋３の上面に回動可能に設けられた蓋体６とを備えている。取出部５の詳細については、後述する。
【００１７】
このような構成を備える収納容器１は、ポリプロピレン（ＰＰ）、ポリエチレン（ＰＥ）、ポリ塩化ビニル（ＰＶＣ）等の熱可塑性樹脂を用いて射出成形等により成型される。
【００１８】
なお、収納容器１は、全体が略円筒形状に限定されるものではなく、円柱形状、箱形状等に設けてもよい。
【００１９】
容器本体４のケース２の開口部２ａに取り付けられる上蓋３には、上蓋３の上面の略中央に、蓋体６が収納される凹部７が形成されている。凹部７は、略円形形状であり、凹部７の略中央に第１の環状壁部８が立ち上がり形成されている。第１の環状壁部８には、第１の環状壁部８の内側に、ウェットティッシュ１００を取り出す取出部５が形成されている。
【００２０】
取出部５を開閉する蓋体６は、図１に示すように、薄板形状であり、上蓋３の上面に回動支持部９により回動可能に設けられている。回動支持部９は、熱可塑性樹脂を用いて射出成形等により上蓋３と一連一体に成型し、直線的に薄肉に形成されている。
【００２１】
なお、回動支持部９は、上蓋３と一連一体に成型するものに限定されるものでなく、回動軸を用いて回動可能に支持するように設けてもよい。
【００２２】
取出部５を開閉する蓋体６は、閉塞したとき、図示はしないが、凹部７との間に間隙部を有して収納される。蓋体６には、自由端側に指掛部６ａが形成されている。蓋体６が取出部５を閉塞するとき指掛部６ａが臨む上蓋３の上面には、指掛用凹部１１が形成されている。指掛部６ａが臨む指掛用凹部１１は、指掛部６ａを間隙部を有して収納できるような幅で上蓋３の回動支持部９の自由端側の外周壁と凹部７とを連結させ、蓋体６の指掛部６ａの裏面と指掛用凹部１１との間に指を引っ掛けて蓋体６を回動させて取出部５を開放できるような深さに形成されている。
【００２３】
また、蓋体６が取出部５を閉塞するとき蓋体６の回動支持部９が臨む上蓋３の上面には、回動支持部用凹部１２が形成されている。回動支持部９が臨む回動支持部用凹部１２は、回動支持部９を間隙部を有して収納できるような幅で上蓋３の回動支持部９側の外周壁と凹部７とを連結させ、蓋体６の回動支持部９が上蓋３の上面からはみ出さないような深さに形成されている。
【００２４】
また、蓋体６には、取出部５に臨む裏面に第２の環状壁部１３が立ち上がり形成されている。第２の環状壁部１３は、蓋体６が取出部５を閉塞したとき、収納容器１の取出部５の周囲に形成された第１の環状壁部８の外周面と嵌合する。これにより、蓋体６が取出部５を閉塞したときは、収納容器１の第１の環状壁部８の外周面と蓋体６の第２の環状壁部１３の内周面とで嵌合し、密閉することができ、収納容器１に収納するウェットティッシュ１００に含侵された液体が揮発するのを防ぐことができる。
【００２５】
２．取出部
続いて、第１の環状壁部８の内側に設けられる取出部５の第１の実施の形態について説明をする。取出部５は、上蓋３の上面３ａの略中央に設けられている。取出部５は、図２（Ａ）、図２（Ｂ）に示すように、ウェットティッシュ１００を使用開始時等に挿通することができる取出口２１を有し、この取出口２１を開閉する開閉蓋２２とからなる。開閉蓋２２には、取出口２１を閉塞したときに、ウェットティッシュ１００と係合しウェットティッシュ１００を１枚ずつ引き出すことができる係合孔２３が設けられている。取出部５は、開閉蓋２２を回動させ、取出口２１を開放した状態とすることで、容器本体４内のウェットティッシュ１００を容易に挿通し、容器本体４内部から外部に臨ませることができる。また、取出部５は、開閉蓋２２を回動させ、取出口２１を閉塞した状態とすることで、ウェットティッシュ１００が係合孔２３と係合する。
【００２６】
取出部５の取出口２１は、図２（Ａ）に示すように、略台形状であり、ウェットティッシュ１００を通すことができる大きさである。この取出口２１は、例えば親指と人指し指の指先を通すことができる程度の大きさであり、上蓋３の上面３ａ裏面側にあるウェットティッシュ１００を摘むことができる大きさに形成されている。なお、取出口２１の大きさは、上述に限らず、さらに大きいものとしてもよい。
【００２７】
取出部５の開閉蓋２２は、取出口２１と略同一の台形状からなり、取出口２１を閉塞する大きさに形成されている。開閉蓋２２は、一辺２２ａの略中央に係合孔２３を構成する切欠部２３ａが形成されている。切欠部２３ａは、略半円状であり、対向する上蓋３に形成される略半円状の切欠部２３ｂとで、係合孔２３を構成する。そして、開閉蓋２２は、一辺２２ａと略平行な辺２２ｂが、上蓋３と連結されており、開閉蓋２２の回動支持部となる。また、開閉蓋２２は、一辺２２ａに沿って、容器本体４の内面側に段部２２ｃが形成されている。この段部２２ｃは、接着剤が塗布されており、上蓋３の対応する位置に形成された段部３ｂと接着する。段部２２ｃに塗布される接着剤は、開閉蓋２２を接着及び再剥離可能なものである。開閉蓋２２は、回動支持部となる辺２２ｂを中心に上蓋３の上面３ａ表面側に回動する。開閉蓋２２は、段部２２ｃを有することから、上面３ａ裏面側への回動が規制される。
【００２８】
係合孔２３は、第１の環状壁部８の内側の略中央に設けられる。また、係合孔２３は、開閉蓋２２の切欠部２３ａと、上蓋３の切欠部２３ｂとからなり、全体が略円形となる。この係合孔２３は、ウェットティッシュ１００が挿通される孔である。係合孔２３は、挿通されるウェットティッシュ１００と当該係合孔２３を構成する周壁とが摩擦係合する。そして、係合孔２３では、この摩擦係合に抗って、さらにウェットティッシュ１００を引き出すことで、ウェットティッシュ１００とミシン目１１０を介して隣接した後段にあるウェットティッシュ１００をミシン目１１０の位置で切り離す。
【００２９】
なお、開閉蓋２２は、上述のように、段部２２ｃを設け、接着剤を塗布することに限らず、取出口２１を閉塞した状態を維持することができるものであれば、いかなるものであってもよい。
【００３０】
また、係合孔２３の周面には、挿通されるウェットティッシュ１００との係合を最適なものとするために、可撓性を有するシリコンゴムを接着するようにしてもよい。
【００３１】
また、開閉蓋２２は、上蓋３の上面３ａ表面側に回動することについて述べたが、これに限らず、上面３ａ裏面側、すなわち容器本体４内面側に回動するようにしてもよい。この場合、開閉蓋２２の回動が段部３ｂにより規制されることから、ウェットティッシュ１００を引き出したときに、開閉蓋２２が開くことがない。
【００３２】
このように構成される収納容器１は、取出部５の開閉蓋２２を、取出口２１を開放状態とする位置と、取出口２１を閉塞状態とする位置とに亘って回動させることができる。すなわち、取出部５は、開閉蓋２２を取出口２１が開放状態となる位置に回動させることで、ウェットティッシュ１００を容易に挿通することができる。そして、取出部５は、開閉蓋２２を取出口２１が閉塞された状態となる位置に回動させることで、ウェットティッシュ１００を係合孔２３に挿通された状態とすることができる。したがって、収納容器１では、取出口２１を開放することができ、ウェットティッシュ１００を容器本体４内部から外部に臨ませるという挿通作業を行うことができる。さらに、収納容器１では、簡便な操作により、取出口２１を閉塞することができるので、ウェットティッシュ１００に含浸された水分、アルコール分等の蒸散を防ぐことができる。また、収納容器１では、取出口２１を閉塞するように操作することのみで、従来のようにウェットティッシュ１００を係合孔２３に挿通した状態とすることができる。
【００３３】
３．ウェットティッシュの係合孔へのセット
次に、以上のように構成された収納容器１においてウェットティッシュ１００を係合孔２３に挿通した状態とする方法について説明をする。
【００３４】
収納容器１では、まず前提として、容器本体４内のウェットティッシュ１００が取出部５から外部に臨まされておらず、容器本体４内にあるものとする。
【００３５】
ユーザは、まず、取出部５の開閉蓋２２を回動操作して取出口２１を開放した状態にする。具体的には、係合孔２３から開閉蓋２２に指を掛け、持ち上げることで開閉蓋２２を回動させることができる。
【００３６】
そして、ユーザは、開放された取出口２１から手指を入れ、内部、すなわち容器本体４内にあるウェットティッシュ１００の端部を掴み、取出口２１に通す。このとき、取出口２１は、十分な大きさを有するので、容易に通すことができる。
【００３７】
次に、ユーザは、ウェットティッシュ１００が取出口２１に挿通された状態で、開閉蓋２２を、取出口２１が閉塞状態となるように回動させる。この開閉蓋２２の回動に伴い、挿通された状態のウェットティッシュ１００は、係合孔２３に係合される。また、開閉蓋２２は、段部２２ｃと段部３ｂとが接着剤により接着されることとなり、閉塞状態を維持することができる。
【００３８】
このようにして、収納容器１では、簡便な操作によりウェットティッシュ１００を係合孔２３に係合された状態とすることができる。また、収納容器１では、ウェットティッシュ１００を取出部５に挿通するときにのみ、取出口２１を開放状態とし、それ以外の通常使用時には、当該取出口２１が閉塞状態にあることから、ウェットティッシュ１００に含浸された水分、アルコール分等の蒸散を防止することができる。
【００３９】
４．変形例
続いて、収納容器１の取出部５の他の実施の形態について説明をする。なお、以下においては、第１の実施の形態の収納容器１と同一の構成については、同一の符号を付し、その説明を省略する。
【００４０】
４−１  第２の実施の形態
第２の実施の形態として示す収納容器１の取出部３０は、図３（Ａ）乃至図３（Ｃ）に示すように、開閉蓋２２に段部２２ｃを設ける代わりに、一辺２２ａと対向する位置にある上蓋３を挟持する一対のゴム片３１が設けられている。一対のゴム片３１は、一辺２２ａから突出するように、開閉蓋２２の両主面に設けられ、可撓性を有するゴム材料から形成されている。一対のゴム片３１は、先端にかけて厚みが小さくなるように形成されている。取出部３０は、図３（Ｂ）に示すように、ゴム片３１を撓ませて上蓋３を挟持することで、開閉蓋２２を、図３（Ｃ）に示すように、取出口２１を閉塞した状態に維持することができる。
【００４１】
このような取出部３０でも、取出部５と同様に、簡便な操作によりウェットティッシュ１００を係合孔２３に係合された状態とすることができる。また、取出部３０を有する収納容器では、ウェットティッシュ１００を取出部３０に挿通するときにのみ、取出口２１を開放状態とし、それ以外の通常使用時には、当該取出口２１が閉塞状態にあることから、ウェットティッシュ１００に含浸された水分、アルコール分等の蒸散を防止することができる。
【００４２】
４−２  第３の実施の形態
第３の実施の形態として示す収納容器１の取出部４０は、図４（Ａ）、図４（Ｂ）に示すように、取出部５の開閉蓋２２のように、回動支持部２２ｂを介して上蓋３と連結されるものではなく、取出口２１を開閉する別体の中蓋４１を有する。
【００４３】
取出部４０の取出口２１は、図４（Ａ）に示すように、略円形状であり、ウェットティッシュ１００を通すことができる大きさである。
【００４４】
取出部４０の中蓋４１は、主面が取出口２１よりやや大きい薄板からなり、取出口２１を閉塞できる大きさに形成されている。中蓋４１は、図４（Ｂ）に示すように、外周が取出口２１と略同一の立壁部４２が形成されている。さらに、中蓋４１は、上面に、当該中蓋４１を取り付け及び取り外しをするための把持部４１ａが設けられている。また、中蓋４１は、取出口２１との密閉性を保つために、立壁部４２にゴムパッキン４１ｂが設けられている。
【００４５】
取出部４０では、取出口２１と係合孔２３とが連結されている。これにより、取出口２１に挿通したウェットティッシュ１００を係合孔２３に係合させることができる。さらに、取出部４０は、係合孔２３と連続した複数のスリット４３が設けられている。このスリット４３は、係合孔２３近傍が弾性係合片となり、ウェットティッシュ１００が係合する。
【００４６】
なお、このスリット４３は、係合孔２３によりウェットティッシュ１００を係合することができるものであれば、必ずしも設ける必要はない。
【００４７】
また、中蓋４１は、上述のような円板状なものに限定されるものではない。例えば、第３の実施の形態の取出部４０の変形例として示す取出部５０は、図５（Ａ）、図５（Ｂ）に示すように、取出口２１を略矩形とし、中蓋５１も、この取出口２１の形状に合わせて、略矩形となっている。
【００４８】
取出部５０の中蓋５１は、主面が取出口２１よりやや大きい薄板からなり、取出口２１を閉塞できる大きさに形成されている。中蓋５１は、中蓋４１の立壁部４２の代わりに、取出口２１の両短辺２１ａと係合する係合片５２が設けられている。さらに、中蓋５１は、上面に、当該中蓋５１を取り付け及び取り外しをするための把持部５１ａが設けられている。また、中蓋５１は、取出口２１との密閉性を保つために、ゴムパッキン５１ｂが設けられている。
【００４９】
さらに、中蓋４１は、略円形の取出口２１に係合するゴム製の球状体であってもよい。中蓋４１の代わりのゴム製の球状体では、円形の取出口２１へ嵌め込むようにして係合することができ、取出口２１の閉塞を高い密閉性を維持して行うことができる。
【００５０】
なお、取出部４０、５０では、別体の中蓋４１、５１を紐等により、上蓋３と連結するようにしてもよい。
【００５１】
このような構成を有する取出部４０、５０は、中蓋４１、５１を取り外すことで、取出口２１を開放した状態とすることができる。そして、この開放された取出口２１から容器本体４内部のウェットティッシュ１００を引き出すことができる。そして、引き出したウェットティッシュ１００を取出口２１と連続して形成された係合孔２３に係合させた状態で、中蓋４１、５１により取出口２１を閉塞することで、係合孔２３へのウェットティッシュ１００のセットを行うことができる。
【００５２】
したがって、取出部４０、５０でも、取出部５と同様に、簡便な操作によりウェットティッシュ１００を係合孔２３に係合された状態とすることができる。また、取出部４０、５０を有する収納容器では、ウェットティッシュ１００を取出部４０、５０に挿通するときにのみ、取出口２１を開放状態とし、それ以外の通常使用時には、当該取出口２１が閉塞状態にあることから、ウェットティッシュ１００に含浸された水分、アルコール分等の蒸散を防止することができる。
【００５３】
４−３  第４の実施の形態
第４の実施の形態として示す収納容器１の取出部６０は、図６Ａ、図６Ｂ、図６Ｃに示すように、取出部５の開閉蓋２２のように、上蓋３の上面３ａ上の回動支持部２２ｂを介して回動するものではなく、上蓋３の下面３ｃに設けられた係合片６２に係合した中蓋６１を有する。なお、図６Ａ乃至図６Ｃでは、便宜上、容器本体４の上蓋３や取出部６０を開閉する蓋体６等も表示する。
【００５４】
取出部６０の取出口２１は、図６Ａに示すように、略円形状であり、ウェットティッシュ１００を通すことができる大きさである。
【００５５】
取出部６０の中蓋６１は、主面が取出口２１の開口部２１ａよりやや大きい略円形状の薄板からなり、取出口２１を閉塞できる大きさに形成されている。中蓋６１は、図６Ｂに示すように、上蓋３の下面３ｃに設けられた係合片６２に中蓋６１の回転係合部６３が係合して、下面３ｃと連結している。この中蓋６１は、係合片６２に係合した回転係合部６３を介して回動し、取出口２１を開閉する。したがって、取出口２１の閉塞状態では、図６Ｃに示すように、中蓋６１の外縁部が上蓋３の下面３ｃに接した状態となる。なお、中蓋６１は、回転係合部６３と下面３ｃに設けられた係合片６２とを介して、取出部６０と一体に形成されていてもよい。
【００５６】
中蓋６１には、その略中央部に係合孔６４が設けられ、また係合孔６４と連続した複数のスリット６５が設けられている。このスリット６５では、係合孔６４近傍が弾性係合片となり、ウェットティッシュ１００が係合する。また、この複数のスリット６５のうち、例えば中蓋６１の回転係合部６３に最も対向する側のスリット６５ａには、ウェットティッシュ１００を係合孔６４に誘導するための誘導スリット６５ｂが設けられている。なお、スリット６５は、係合孔６４によりウェットティッシュ１００を係合することができるものであれば、必ずしも複数設ける必要はない。
【００５７】
また、中蓋６１には、その中蓋上面６１ａ上に、取出口２１の開口部２１ａの一部の形状と同じ形状の立壁部６６が複数設けられている。例えば、図６Ａに示すように、略円形状の取出口２１の開口部２１ａの一部の形状、すなわち円周状の一部の形状と同じ形状の立壁部６６が複数設けられている。この立壁部６６は、図６Ｃに示すように、中蓋６１により取出口２１が閉塞状態となったとき、取出口２１の開口部２１ａに嵌合して止まるようになっている。これにより、中蓋６１による取出口２１の閉塞状態が維持される。
【００５８】
このような構成を有する取出部６０では、取出口２１から中蓋６１を下部に押し込むことにより、回転係合部６３を介して中蓋６１が回動されて取出口２１を開放した状態とすることができる。そして、この開放された取出口２１から容器本体４内部のウェットティッシュ１００を容易に引き出すことができる。そして、引き出したウェットティッシュ１００を誘導スリット６５ａに貫通させて係合孔６４まで誘導し、ウェットティッシュ１００を係合孔６４に係合させた状態で、中蓋６１により取出口２１を閉塞する。このとき、取出口２１の閉塞は、係合孔６４に係合させたウェットティッシュ１００を取出口２１から引っ張ることにより、回転係合部６３を介して中蓋６１を回動させて行う。つまり、ウェットティッシュ１００を取出口２１から上部に持ち上げることにより、ウェットティッシュ１００が係合した中蓋６１が回転係合部６３を介して閉塞状態となる方向に回動されるようになり、取出口２１が閉塞する。これにより、係合孔６４へのウェットティッシュ１００のセットを行うことができる。
【００５９】
したがって、取出部６０でも、取出部５と同様に、簡便な操作によりウェットティッシュ１００を係合孔６４に係合された状態とすることができる。また、取出部６０を有する収納容器では、ウェットティッシュ１００を取出部６０に挿通するときにのみ、取出口２１を開放状態とし、それ以外の通常使用時には取出口２１が閉塞状態にあることから、ウェットティッシュ１００に含浸された水分やアルコール分等の蒸散を防止することができる。特に、この取出部６０では、通常使用時に、係合孔６４に係合したウェットティッシュ１００を取り出す引っ張り力が加わる度に、中蓋６１が上蓋３の下面３ｃに接するように移動して閉塞状態が強固になることから、より効果的に水分やアルコール分等の蒸散を防止することができる。
【００６０】
また、通常使用時にウェットティッシュ１００を取り出す引っ張り力が中蓋６１を介して取出口２１に加わるとともに、中蓋上面６１ａに設けられた立壁部６６が取出口２１の開口部２１ａに嵌合するため、より強固な閉塞状態を保ちながら、ウェットティッシュ１００を収納することができる。
【００６１】
４−４  第５の実施の形態
第５の実施の形態として示す収納容器１の取出部７０は、図７Ａ、図７Ｂに示すように、上述の第４の実施の形態における取出部６０のように上蓋３の下面３ｃに設けられた係合片６２に係合した中蓋６１を有するというものではなく、上蓋３の上面３ａと一体に形成された開閉蓋７１を有する。
【００６２】
取出部７０の取出口２１は、図７Ａに示すように、略円形状であり、ウェットティッシュ１００を通すことができる大きさである。取出部７０の開閉蓋７１は、その取出口２１と同様に略円形状であり、また略同じ大きさ又はそれよりやや小さい大きさに形成され、取出口２１を閉塞できるようになっている。そして、取出部７０の開閉蓋７１は、上述のように上蓋３の上面３ａと一体に形成されており、回動支持部７１ａを介して、図７Ａに示すように取出口２１の上部方向に開閉移動可能であるとともに、図７Ｂに示すように取出口２１の下部方向にも開閉移動可能となっている。
【００６３】
開閉蓋７１には、その略中央部に係合孔７２が設けられ、またその係合孔７２と連続した複数のスリット７３が設けられている。このスリット７３では、係合孔７２近傍が弾性係合片となり、ウェットティッシュ１００が係合する。また、この複数のスリット７３のうち、例えば開閉蓋７１の回動支持部７１ａに最も対向する側のスリット７３ａには、ウェットティッシュ１００を係合孔に誘導するための誘導スリット７３ｂが設けられている。なお、スリット７３は、係合孔７２によりウェットティッシュ１００を係合することができるものであれば、必ずしも複数設ける必要はない。
【００６４】
なお、図示しないが、取出部７０には、開閉蓋７１によって取出口２１を閉塞した状態に維持する構成を備えるようにすることができる。取出口２１を閉塞した状態に維持する構成としては、特に限定されず、ウェットティッシュ１００を引き出したときに、開閉蓋７１による取出口２１の閉塞状態を維持できるものであれば如何なる構成であってもよい。
【００６５】
具体的には、例えば、開閉蓋７１における回動支持部７１ａに対向する側に、上蓋３を挟持する一対のゴム片等を設け、上述した図３（Ａ）乃至図３（Ｃ）に示す取出部３０と同様にして、取出部７０においても取出口２１が閉塞した状態を維持できるようにしてもよい。より具体的には、開閉蓋７１の両主面に、開閉蓋７１の縁７１ｂから突出するようにして、可撓性を有し先端にかけて厚みが小さくなるような一対のゴム片を設けるようにする。このような構成によれば、そのゴム片を撓ませて上蓋３を挟持することで、ウェットティッシュ１００を引き出すときでも、開閉蓋７１を取出口２１が閉塞した状態に維持することができる。
【００６６】
また、その他の構成として、例えば、上蓋３の開閉蓋７１を取出口２１が閉塞した状態のときに、開閉蓋７１の縁７１ｂが上蓋３と嵌合するように、上蓋３の対応する位置に凹部を設けるようにして、取出口２１の閉塞状態を維持するようにしてもよい。
【００６７】
以上のような構成を有する取出部７０では、開閉蓋７１を回動支持部７１ａを介して開閉し、上蓋３の水平面に対して上方や下方に移動させることによって、取出口２１を開放した状態とすることができる。そして、この開放された取出口２１から容器本体４内部のウェットティッシュ１００を容易に引き出すことができる。そして、引き出したウェットティッシュ１００を誘導スリット７３ａに貫通させて係合孔７２まで誘導し、ウェットティッシュ１００を係合孔７２に係合させた状態で、開閉蓋７１により取出口２１を閉塞する。
【００６８】
特に、取出部７０では、上蓋３の上面３ａと一体に形成された開閉蓋７１が回動支持部７１ａを介して、上蓋３の上部及び下部の両方向に移動させることができるので、ウェットティッシュ１００を係合孔７２にセットする利便性を高めることができる。具体的には、例えば、使用開始時にウェットティッシュ１００をセットする場合には、開閉蓋７１を上蓋３の水平面に対して上部方向に移動させることによって容易にウェットティッシュ１００を係合孔７２にセットすることができる。また、例えば、使用中にウェットティッシュ１００が途中で切れてしまった時には、上蓋３を容器本体４から取り外す等の操作をしなくても、開閉蓋７１を上蓋３の水平面に対して下部方向に押圧して移動させることにより、取出口２１から使用者の指を入れて切れてしまったウェットティッシュ１００を容器本体４から引き出し、誘導スリット７３ｂを介して係合孔７２に係合させることによって容易にウェットティッシュ１００をセットすることができる。
【００６９】
したがって、取出部７０でも、取出部５と同様に、簡便な操作によりウェットティッシュ１００を係合孔７２に係合された状態とすることができる。また、取出部７０を有する収納容器においても、ウェットティッシュ１００を取出部７０に挿通するときにのみ、取出口２１を開放状態とし、それ以外の通常使用時には取出口２１が閉塞状態にあることから、ウェットティッシュ１００に含浸された水分やアルコール分等の蒸散を防止することができる。
【００７０】
なお、上述した第５の実施の形態においては、図７Ａ及び図７Ｂに示したように収納容器本体４の取出部７０を開閉する蓋体６を上蓋３０の上面３ａに設ける場合について説明したが、蓋体６の設置位置はこれに限られるものではない。
【００７１】
例えば、図８（Ａ）及び図８（Ｂ）に示すように、上述の第５の実施の形態における取出部７０のように上蓋３の上面３ａと一体に形成されて取出口２１を開閉する開閉蓋７１を有するとともに、その開閉蓋７１の上面７１ａに、収納容器本体４の取出部８０を開閉する蓋体９０を設けるようにしてもよい。すなわち、上述した実施の形態のように収納容器本体４を開閉する蓋体３が、上蓋３の上面３ａに設けられているのではなく、取出口２１を開閉する開閉蓋７１の上面７１ａに一体に上蓋９０を形成してもよい。なお、図８（Ｂ）においては、取出口２１を開閉する開閉蓋７１が、回動支持部７１ａを介して取出口２１の下部方向に開閉移動可能となる形態について示しているが、上部方向に開閉移動可能なようにしてもよい。
【００７２】
なお、本発明は上述した実施の形態のみに限定されるものではなく、本発明の要旨を逸脱しない範囲において種々の変更が可能であることは勿論である。
【符号の説明】
【００７３】
１  収納容器、２  ケース、２ａ  開口部、３  上蓋、３ａ  上面、３ｂ  段部、３ｃ  下面、４  容器本体、５，３０，４０，５０，６０，７０  取出部、６，９０  蓋体、６ａ  指掛部、７  凹部、８  第１の環状壁部、９  回動支持部、１１  指掛用凹部、１２  回動支持部用凹部、１３  第２の環状壁部、２１  取出口、２１ａ  開口部、２２  開閉蓋、２２ａ  一辺、２２ｃ  段部、２３  係合孔、２３ａ，２３ｂ  切欠部、３１  ゴム片、４１，５１，６１  中蓋、４１ａ，５１ａ  把持部、４１ｂ，５１ｂ  ゴムパッキン、４２，６６  立壁部、４３，６５，６５ａ，７３，７３ａ  スリット、５２，６２  係合片、６１ａ  中蓋上面、６３  回転係合部、６４，７２  係合孔、６５ｂ，７３ｂ  誘導スリット、７１  開閉蓋、７１ａ  回動支持部、７１ｂ  縁、７１ｃ  段部、１００  ウェットティッシュ、１０５  ロール体、１１０  ミシン目
【図１】
0005651435.tif 000002
【図２】
0005651435.tif 000003
【図３】
0005651435.tif 000004
【図４】
0005651435.tif 000005
【図５】
0005651435.tif 000006
【図６Ａ】
0005651435.tif 000007
【図６Ｂ】
0005651435.tif 000008
【図６Ｃ】
0005651435.tif 000009
【図７Ａ】
0005651435.tif 000010
【図７Ｂ】
0005651435.tif 000011
【図８】
0005651435.tif 000012